Podtech/llm-jp-corpus-v4-ja_patent huggingface dataset:
(57)【要約】      （修正有）【課題】便器と便座とからなるペット用のおまるで、便座を人間用便器に篏合し、便座でペットが排尿した尿等の液体を人間用便器に落とすことを可能とし、悪臭や掃除を軽減するペット用のおまるを提供する。【解決手段】人間用便器９に便座２を据え置き、その上でペットがようをたせるよう、便座開口部７に係合する格子状部材５を備えることによりペットや撥水粒状部材８が便座開口部から落下するのを防ぎ、尿だけを開口部から便器に落とす。また人間が便所を使用する際は、便器に便座を移動させる。【選択図】図３
0003160866.tif 000002
【実用新案登録請求の範囲】
【請求項１】
便器と、この便器の上部に着脱可能に設けられた便座とからなるペット用のおまるであって、前記便座が人間用便器に篏合し、便座開口部に係合する格子状部材を備えることを特徴とするペット用のおまる。
【請求項２】
前記便座と人間用便器が篏合する篏合面に弾性部材を備えたペット用のおまる。
【請求項３】
前記便座の便座開口部に係合する格子状部材を撥水粒状部材で覆い濾過槽を備えたペット用のおまる。
【考案の詳細な説明】
【技術分野】
【０００１】
本考案は人間用便器に取り付け、使用可能なペット用のおまるに関するものである。
【背景技術】
【０００２】
犬や猫を飼う家も多くなり糞尿処理をいかに楽に行えるか工夫されてきた。例えば、排泄された尿等の液体を効率的に吸収体に移行させることが出来る動物用トイレなどが販売されている。（特許文献１参照）
【先行技術文献】
【特許文献】
【０００３】
【特許文献１】特開２００７−１５９５９１号広報
【考案の概要】
【考案が解決しようとする課題】
【０００４】
先行技術における特許文献１の動物用トイレは、設置場所を部屋や風呂場、洗面所に置くことが多く、尿を撥水し液体を通過させ糞を覆う粒状体、砂、木屑など消臭効果の高いもので糞尿の悪臭を抑えるものの、糞尿が多くなるにつれ尿が溜まり悪臭が漂い不快感を生じることが多々あった。また排尿した液体の尿を回収する吸収体が必要で、その吸収体を掃除する煩わしさが伴い家庭ゴミとして処分しなければならず資源の無駄であり、購入費用などの出費が出ていた。本考案は部屋に漂う悪臭と掃除の軽減と、尿を回収する吸収体を無くすことを目的とし解決するものである。
【課題を解決するための手段】
【０００５】
本考案のペット用おまるは、便器と、便器の上部に着脱可能に設けられた便座とからなるペット用のおまるであり、前記便座は人間用便器に篏合する。便座開口部に係合する格子状部材は無数の穴を有し、格子状部材上部にはペット用トイレ砂代用として撥水粒状部材が充填された容器で構成される。これにより便座で放尿された尿は撥水粒状部材、格子状部材の穴を通過し、人間用便器に自然に落ちる。結果、尿を回収する吸収体は不要となり悪臭も軽減し、地球資源の無駄を無くし購入費用も削減される。ペットが便座に乗る際、便座が滑り恐怖を感じないよう、便座と人間用便器が篏合する篏合面に弾性部材を備えることで安定が確保される。これらにより前述の欠点を解決するものである。
【考案の効果】
【０００６】
本考案を使用することにより、ペットの便所と人間の便所を同じ場所にすることが可能となる。これにより便所の部屋を換気させておくことで悪臭は軽減される。また便座で放尿された尿は、格子状部材の穴を通過し人間用便器に落ちるため尿を回収する吸収体の必要が無い。
【図面の簡単な説明】
【０００７】
【図１】本考案のペット用おまるの展開図である。
【図２】本考案のペット用おまるの便座を人間用便器に設置した使用例を示す図である。
【図３】図３の使用例A−A線の断面図である。
【考案を実施するための形態】
【０００８】
以下添付図面に従って本考案の形態について説明する。図１は便座２と便器３で構成された着脱可能なペット用おまる１である。健康状態の確認で採尿する際は、便器３の上に便座２を設置しておけばペットも違和感無くペット用おまる１を使用し、便器に溜まった尿を容易に採尿することが可能。また移動の出来なくなったペットにもペット用おまる１を近くまで持って行くことが出来る。
【０００９】
図２は便座２を人間用便器９に設置したものであり人間が便所を使用しない時は常に人間用便器９に据え付けておく。ペットの排泄の場所を人間用便所と共有出来るため、悪臭は人間用便所の換気扇から脱臭させることが可能となる。その際、便座の入り口付近にペットが便座に楽に入れるようスロープや台１０を配置することが望ましい。人間が人間用便器９を使用する際は便座２の取手４を両手で持ち、人間用便器９横に設置した便器３に移動させる。便器３に便座２を移動させた際、撥水粒状部材８の上の糞のみ拾い人間用便器９に入れる。人間がようをたした後は人間用便器の水を流すので、ペットの尿や糞も一緒に流し掃除の煩わしさを解消することが可能。
【００１０】
図３は図２使用例A−A線の断面図である。便座２はペットや撥水粒状部材８が人間用便器９の中に落下しないよう便座開口部に係合する格子状部材５で構成されている。便座２内でペットがようをたすと、尿の液体等は撥水粒状部材８と、格子状部材５の穴を通過し、開口部７より人間用便器９へ落ちる。便座２と人間用便器９が篏合する篏合面には便座２が滑らないよう弾性部材６を用いている。また人間用便器９に常時尿を流せるよう、便座２の中に補填するペット用砂は、撥水粒状部材８を補填し、便座２の深さはペットが撥水粒状部材８を掻いても飛ばさないだけの高さを保持することを最良の形態とする。一例として、ペットが猫の場合、綺麗好きで糞を隠したがる習性があるが、撥水粒状部材８があるため猫も安心しストレスも生じない。常に尿が溜まっていない状態を保つ事が出来るため手入れが楽で悪臭も軽減できる。
【符号の説明】
【００１１】
１    ペット用おまる
２    便座
３    便器
４    取手
５    格子状部材
６    弾性部材
７    開口部
８    撥水粒状部材
９    人間用便器
１０  台
【図１】
0003160866.tif 000003
【図２】
0003160866.tif 000004
【図３】
0003160866.tif 000005
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
便器と、この便器の上部に着脱可能に設けられた便座とからなるペット用のおまるであって、前記便座が人間用便器に篏合し、便座開口部に係合する格子状部材を備えることを特徴とするペット用のおまる。
【請求項２】
前記便座と人間用便器が篏合する篏合面に弾性部材を備えたことを特徴とする請求項１記載のペット用のおまる。
【請求項３】
前記便座の便座開口部に係合する格子状部材を撥水粒状部材で覆い濾過槽を備えたことを特徴とする請求項１記載のペット用のおまる。
(57)【要約】      （修正有）【課題】ナット部分の調節範囲が広く、又ナット部分の何ミリねじ込まれているかの確認が容易となるタンパックルを提供する。【解決手段】配管支持金物の全ねじ接合部分のナット１を長くし、前記ナットの面に穴をあけ窓３を付け、前記ナットの窓３の縁にゲージ２を刻んで調整確認窓付タンパックルを形成する。【選択図】図１
0003160863.tif 000002
【実用新案登録請求の範囲】
【請求項１】
配管支持金物の全ネジ取付部のナットを長くすることにより調整幅が増える。
【請求項２】
窓を付けることにより、ねじ込みの深さの確認が出来る。
【考案の詳細な説明】
【技術分野】
【０００１】作業効率及び材料有効利用を容易にする支持金物に関する考案【０００２】従来のタンパックルでは、ナットの部分が短く、ねじ込み調整範囲が約１センチ程度のもで、ねじ込まれた深さの確認もできない。
【考案の開示】
【考案が解決しようとする課題】
【０００３】従来のタンパックルにて配管を取り付と、ナット部分が短く１センチ程度しか調整が出来ないために、元になる全ネジを取り換えるか加工する事になる。
又、ネジ込みの深さで、配管の高さ調整を行うために短い場合は、ねじ込みが足りず、時間がたつと振動により外れる事が多くあった。そこでこれらの問題を解決しようとするものである。
【課題を解決するための手段】
【０００４】本考案では、タンパクルのナット部分を長くし窓を付けることにより調整の範囲が格段に増える。又、窓を付けることによりネジ込みの深さの確認が容易にできるようになり問題点を解決している。
【考案の効果】
【０００５】従来のナットの調節幅約１センチから約６センチに増えることにより、元になる全ネジを取り換え、加工する必要が少なくなる。【０００６】全ネジの取り換え、加工が少なくなる事により、作業時間の短縮、作業人員の縮小になる。【０００７】取り換え、再加工が少なくなる事により、資源の節約、産業廃棄物の縮小になる。【０００８】再加工が減少することにより、現場作業員の安全面も確保できる。【０００９】窓を付けゲージを作ることにより、ねじ込みの深さが容易に確認することが出来る。【００１０】ゲージを作ることにより、ねじ込みの深さを明確に指定することが出来、強度、信頼性がます。【００１１】作業終了後に容易に検査、確認ができる。【００１２】製品を使用した制度の工場、工期の短縮、資源の有効利用、作業人員の縮小と多くのメリットが、現実のものになります。
【図面の簡単な説明】
【００１３】
【図１】調整窓付タンパックル全体図
【図２】同上展開図
【符号の説明】
【００１４】▲１▼  全ネジ取付ロングナット
▲２▼  メモリ
▲３▼  調整確認窓
▲４▼  吊バンド取付部
【図１】
0003160863.tif 000003
【図２】
0003160863.tif 000004
【手続補正書】
【提出日】平成22年1月25日(2010.1.25)
【手続補正１】
【補正対象書類名】実用新案登録請求の範囲
【補正対象項目名】全文
【補正方法】変更
【補正の内容】
【実用新案登録請求の範囲】
【請求項１】
配管支持金物の全ねじ接合部分のナットを長くしたことを特徴とする調整確認窓付タンパックル
【請求項２】
請求項１に記載の調整確認窓付タンパックルにおいて、前記ナットの面に穴をあけ窓を付けたことを特徴とする調整確認窓付タンパックル
【請求項３】
請求項２に記載の調整確認窓付タンパックルにおいて、前期ナットの窓の淵にゲージを刻んだ事を特徴とする調整確認窓付タンパックル
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
配管支持金物の全ねじ接合部分のナットを長くしたことを特徴とする調整確認窓付タンパックル
【請求項２】
請求項１に記載の調整確認窓付タンパックルにおいて、前記ナットの面に穴をあけ窓を付けたことを特徴とする調整確認窓付タンパックル
【請求項３】
請求項２に記載の調整確認窓付タンパックルにおいて、前記ナットの窓の淵にゲージを刻んだ事を特徴とする調整確認窓付タンパックル
(57)【要約】      （修正有）【課題】加熱時の吹き零れを軽減させて、食材の水分を用いて調理できる、電子レンジ専用の調理食器を提供する。【課題手段】蓋中央に穴を形成し、蓋の周辺部から中央部に凹状に傾斜をつける。また、容器本体にループ形の取っ手を一対に取り付ける。【選択図】図１
0003160870.tif 000002
【実用新案登録請求の範囲】
【請求項１】
容器本体と蓋で構成されている電子レンジ専用調理食器において、蓋の中央部に穴を布設した事を特徴とする。
【請求項２】
上記の蓋上面に、外周部から中央部の穴に凹状の傾斜を設けたことを特徴とする。
【請求項３】
容器本体の、側面部に一対の取っ手を、対称に設けたことを特徴とする。
【請求項４】
上記蓋の、上面に外周から、上記穴に放射状に突起を３条設けた事を特徴とする。
【考案の詳細な説明】
【技術分野】
【０００１】  本考案は、電子レンジ専用の調理食器に関するものであり、容器本体と、中央部に穴を形成した蓋を備え、加熱時に食材から出る余分な蒸気を外部に排出でき、食材の水分で調理することを可能とした電子レンジ用調理食器を提供するものである。；
【背景技術】
【０００２】  古くから水蒸気の熱で食材を加熱する料理法として蒸し料理が行われており、食材の水分を利用して料理を行うため、余分な脂分を使用せず、ヘルシーな料理法として広く知られている、近年では、直火で調理するものから、電子レンジを用いて調理ができるものも考えられている。
【考案の概要】
【考案が解決しようとする課題】
【０００３】  従来の蓋付の調理器は、加熱調理する際に加熱された蒸気が水分として吹き零れるという欠点があった、また、加熱した調理食器は高温となるため、電子レンジから取り出す際はミトンなど断熱素材が必要であり、素手で容器本体に触れると火傷などのおそれがあるという欠点があった。【０００４】  本考案の課題は、電子レンジを用いた調理において、加熱時の吹き零れを軽減させ、食材の水分を用いて調理ができ、また、加熱後に直接に素手で取り出せることが出来る電子レンジ専用の調理食器を提供することである。
【課題を解決するための手段】
【０００５】  上記の課題を解決するため、蓋本体（２）の中央部に穴（４）を形成させ、蓋の周辺部より中央部に向かって凹状（３）の傾斜をつた。【０００６】  容器本体（１）には本体に直に触れないように、ループ形の取っ手（５）を側面に対角線上に一対上に取り付けた。
【考案の効果】
【０００７】  本考案の調理食器では、電子レンジによる調理（蒸す・煮る・炊く・焼く）に適しており、吹き零れも軽減され食材の水分で調理することができ、調理した食材を別の器に移しかえるような面倒な作業を必要とせずに、そのまま食卓に食器として使用することが出来る。
【図面の簡単な説明】
【０００８】
【図１】本実施例を示す縦断図である。
【図２】蓋本体を示す平面図である。
【図３】容器本体の側面図である。
【考案を実施するための最良の形態】
【０００９】  本考案の最良の実施形態について、本考案の作用を説明する。【００１０】  この電子レンジ専用調理食器は、蓋本体中央部（４）に水蒸気を排出する穴を形成しているため、吹き零れしにくく、また周辺部から中心部に向かって傾斜（３）を形成させているため、余分な水分が容器本体へ戻る構造としている、そのため、食材の水分に似よって調理することができる。【００１１】  容器本体の側面部に容器本体と直接接しない取っ手（５）を形成させているため、調理後本体を電子レンジから取り出す際に、直に本体容器に触れることなく取り出せることが可能である。
【実施例】
【００１２】  本考案の実施例では、図１に示すように、容器本体（１）と蓋（２）からなる電子レンジ専用調理食器であって、蓋（２）の中央部に蒸気吹き出し穴（４）を設けた。【００１３】  調理食器を用いることにより、加熱による吹きこぼれを軽減でき、食材自体の水分によって調理することで、余分な脂分を抑えたヘルシーな食事を提供することが可能になる、調理に使用した本体食器（１）をそのまま食器として食卓へ使用することが出来る、また、レンジによる加熱のため、火を使わない安全な調理ができ、本体に形成した取っ手（５）により、レンジから取り出す際に食器に触れないことで火傷などの危険も軽減することが出来るものである。【００１４】  蓋（２）上面に刻設した、放射状に設けた３本の突起（６）により、スタッキングがしやすくなる。
【符号の説明】
【００１５】  １  容器本体
２  蓋
３  凹面上傾斜
４  蒸気吹き出し穴
５  取っ手
６  放射線状突起
【図１】
0003160870.tif 000003
【図２】
0003160870.tif 000004
【図３】
0003160870.tif 000005
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
容器本体と蓋で構成される電子レンジ専用調理食器において、前記蓋の中央部に穴を穿設したことを特徴とする電子レンジ専用  調理食器。
【請求項２】
上記蓋の上面に外周部から中央部の穴に向かって凹状の傾斜を刻設したことを特徴とする請求項１に記載の電子レンジ専用調理食器。
【請求項３】
上記容器本体の側面部に一対の取っ手を対称に設けたことを特徴とする請求項１から請求項２に記載の電子レンジ専用調理食器。
【請求項４】
上記蓋の上面に外周部から中央部の穴に向かって放射状に突起を円周方向に等間隔で３条突設したことを特徴とする請求項１から請求項３に記載の電子レンジ専用調理食器。
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
容器本体と蓋で構成される電子レンジ専用調理食器において、前記蓋の中央部に穴を穿設したことを特徴とする電子レンジ専用調理食器。
【請求項２】
上記蓋の上面に外周部から中央部の穴に向かって凹状の傾斜を刻設したことを特徴とする請求項１に記載の電子レンジ専用調理食器。
【請求項３】
上記容器本体の側面部に一対の取っ手を対称に設けたことを特徴とする請求項１または請求項２に記載の電子レンジ専用調理食器。
【請求項４】
上記蓋の上面に外周部から中央部の穴に向かって放射状に突起を円周方向に等間隔で３条突設したことを特徴とする請求項１から請求項３のいずれか一項に記載の電子レンジ専用調理食器。
(57)【要約】      （修正有）【課題】先祖や大切な人の年忌法要を忘れることなく実施できるようにし、日本文化の継承を手助けできる年回表付仏具を提供する。【解決手段】年回表と仏具を一体化させる。【選択図】図１
0003160864.tif 000002
【実用新案登録請求の範囲】
【請求項１】
故人の年忌法要（亡くなった人の命日に営む法要）で、一周忌〜三十三回忌（場合によっては百回忌まで）が記載されている「年回表」（年忌表ともいう）と、「位牌」や「掛軸」に代表される「仏具」を一体化させることにより、先祖の年忌法要の実施年度を容易に遺族の目に留まるようにしたものである。
【考案の詳細な説明】
【技術分野】
【０００１】本考案は、「年回表」と「仏具」を一体化して販売する「年回表付仏具」に関するものである。
【背景技術】
【０００２】従来「年回表」は一枚の紙で作成され、寺院の壁面等に貼られたり、寺院から檀家
へ配布されたりしてきた。
【考案の開示】
【考案が解決しようとする課題】
【０００３】先祖や大切な人の年忌法要を忘れることなく実施できるようにし、日本文化の継承を手助けできるものである。
【課題を解決するための手段】
【０００４】「年回表」と「仏具」を一体化する。
「年回表」と「仏具」を一体化させることにより、故人の年忌法要を忘れてしまうという問題点を解決している。
【考案の効果】
【０００５】上述のように一体化させることにより、故人の年忌法要を忘れずに実施することができ、さらには寺院から檀家への法要通知業務も簡略化できる。
【考案を実施するための最良の形態】
【０００６】「仏具」の一部に、「年回表」を直接形成、又は「年回表」が形成された別の物体を貼付、差込等の方法で一体化させる。
【図面の簡単な説明】
【０００７】
【図１】（Ａ）は、「仏具」の中の「スタンド型掛軸」の台座部に一体化したものであり、（Ｂ）及び（Ｃ）は、形式の違う２種類の「年回表」を示す。
【図２】は、「仏具」の中の「十三仏掛軸」に一体化したものである。
【図３】は、「掛軸台」の台座部に一体化したものである。
【産業上の利用可能性】
【０００８】本考案は、日本人の宗教離れや、先祖を敬い先祖に感謝する気持ちの希薄化に歯止めをかけるものである。礼拝時に故人を思い浮かべるだけでなく、年忌法要を忘れずに実施でき、さらには寺院の宗教活動の手助けや宗教用具界の発展に寄与することができる。
【図１】
0003160864.tif 000003
【図２】
0003160864.tif 000004
【図３】
0003160864.tif 000005
【手続補正書】
【提出日】平成22年1月25日(2010.1.25)
【手続補正１】
【補正対象書類名】実用新案登録請求の範囲
【補正対象項目名】請求項１
【補正方法】変更
【補正の内容】
【請求項１】
故人の年忌法要で一周忌〜二十三回忌くらいまでが記載されている「年回表」と、「位牌」や「掛軸」に代表される「仏具」を一体化させることにより、先祖の年忌法要の実施年度を容易に遺族の目に留まるようにした「年回表付仏具」である。
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
故人の年忌法要で一周忌〜三十三回忌くらいまでが記載されている年回表と、位牌や掛軸に代表される仏具を一体化させることにより、先祖の年忌法要の実施年度を容易に遺族の目に留まるようにした年回表付仏具。
(57)【要約】      （修正有）【課題】打ち落としたハエを、素手で接する事なく、ハエを挟んで廃棄する日用雑貨を提供する。【解決手段】ハエ叩き上部にアーチ形外縁を設け、棹と柄の間に前後可動する樹脂具を設け双方はナイロンテグス糸にて絞止させる。樹脂具を後可動させると、アーチ形外縁部が狭まり、害虫を挟みつつ廃棄する事が出来る。直接的な素手接触が無く不潔感が薄れた事と、挟み込む位置を変える事で大きめの害虫も挟む事が出来る。【選択図】図１
0003160867.tif 000002
【実用新案登録請求の範囲】
【請求項１】
ハエ叩きの、網目部、上先端部の外縁をアーチ形に成型し、一方で握り柄の先部に前後に可動する樹脂具を設け、外縁と樹脂具をナイロンテグス糸により双方を絞止する。
樹脂具を後可動させると、アーチ形外縁が狭窄動する、請求範囲
【考案の詳細な説明】
【技術分野】
【０００１】従来のハエ叩きで、打ち落としたハエを、素手で接する事なく、上部アーチ形外縁部でハエを挟んで廃棄する、日用雑貨である。
【背景技術】
【０００２】従来は、柄の内部に収納された、ハエを挟む物を用いて廃棄するか、又は打ち落としたハエをテッシユペーパーなどで摘まんで、廃棄する背景技術である。
【考案の概要】
【考案が解決しょうとする課題】
【０００３】不衛生な物を直接的に接蝕する事を避ける課題。
【課題を解決するための手段】
【０００４】ハエ叩き網目部の上先端部を、アーチ形外縁を成型し外縁の左右中間部には、ナイロンテグス糸の結び目のズレ防止溝を設ける。
【０００５】柄と棹の間に挟まる、帯Ｕ字形の樹脂具を成型し、樹脂具には糸通し穴を設け棹と柄の境には、樹脂具の長さ程度の長溝穴を設ける。
【０００６】柄に挟み込んだ樹脂具の糸通し穴に、ナイロンテグス糸を絞止し、ナイロンテグス糸を、アーチ形外縁方向に引っ張つた状態でナイロンテグス糸を凹溝部に絞止する。
【考案の効果】
【０００７】直接的な素手接触が無く不潔感が薄れた事と、挟み込む位置を変える事で大きめの害虫も挟む事が出来た。
【考案を実施するための形態】
【０００８】以下考案の実施形態を説明する。
（ア）ハエ叩きの網目上端部に、アーチ形外縁部（１）を成型する。
又、左右中間部には、糸ズレ防止の凹溝（２）を成型する。
（イ）柄（３）と棹（４）の境に長溝穴（５）を設ける。
（ウ）帯Ｕ字形の樹脂具（６）の間に溝を設け、一辺に糸通し穴（７）を設け
（エ）ナイロンテグス糸（８）を糸通し穴（７）に絞止する。
（オ）樹脂具（６）を長溝穴（５）に挟み込み、
（カ）ナイロンテグス糸（８）をアーチ形外縁部（１）の方向に引っ張り左右中間部の網目穴（９）に一度通した後に、アーチ形外縁部の凹溝に張った状態で絞止する形態である。
【図面の簡単な説明】
【０００９】
【図１】本考案の実施例を示す、各部分斜視図、及び拡大図です。
【符号の説明】
【００１０】１、アーチ形外縁部
２、凹溝
３、柄
４、棹
５、長溝穴
６、樹脂具
７、糸通し穴
８、ナイロンテグス糸
９、編目穴
【図１】
0003160867.tif 000003
【手続補正書】
【提出日】平成22年2月16日(2010.2.16)
【手続補正１】
【補正対象書類名】実用新案登録請求の範囲
【補正対象項目名】全文
【補正方法】変更
【補正の内容】
【実用新案登録請求の範囲】
【請求項１】
ハエ叩きの網目上端部を、アーチ形体に外縁成型し、一方で握り柄の先部に前後に可動する樹脂具を設け、外縁と樹脂具をナイロンテグス糸により双方を絞止し、樹脂具を後方可動させると、アーチ形外縁が狭窄動することを特徴とするハエ叩き。
【手続補正書】
【提出日】平成22年4月12日(2010.4.12)
【手続補正１】
【補正対象書類名】実用新案登録請求の範囲
【補正対象項目名】全文
【補正方法】変更
【補正の内容】
【実用新案登録請求の範囲】
【請求項１】
ハエ叩きの網目上部の両端を、アーチ形に成型し、一方で握り柄の先部に前後に可動する樹脂具を設け、アーチ形と樹脂具をナイロン糸により双方を絞止し、樹脂具を後可動させると、アーチの中間部が狭窄動することを特徴とするハエ叩き。
(57)【要約】      （修正有）【課題】吸引器本体に癒しと美肌の成分のエキスを入れて，吸引する事でストレス防止をすることができる携帯型癒し美容吸引器を提供する。【解決手段】美容吸引器は、プラスチック等適宜素材で形成された吸引器本体１、エキスの吸引口２、吹き出しのプッシュボタン３、引いて開閉する蓋４及び固形エキス５により構成する。固形エキス５は、癒しの香りの植物，他等の成分と美肌成分のエキスを混合したものを固形にして使用し、吸引器本体１に入れ、いつでも、どこでも手軽に吸引する事ができ、ストレス解消と美肌の効果に役立てる。【選択図】図２
0003160862.tif 000002
【実用新案登録請求の範囲】
【請求項１】
現代社会のストレス解消と女性の美肌効果の為に植物，他等が、醸し出す香りのエキスと美肌成分のエキスを空気発生テクノロジーで固形にし，携帯型ボトルケースの中に入れていつでも，どこでも手軽に吸引出来る癒し美容吸引器
【考案の詳細な説明】
【技術分野】
【０００１】  本考案は，植物，他等の醸し出す香りのエキスと美肌成分のエキスを空気発生テクノロジーで固形にしたものである。
【背景技術】
【０００２】  携帯型で，癒しの香りと美肌効果のエキスを吸引するサプリメントは従来無かった事でした。
【考案の開示】
【考案が解決しようとする課題】
【０００３】  従来のサプリメントで飲食物、等の健康に関するものは数多くあるが、飲食物等では補え無かった，癒せ無かった事を吸引する新しい趣行のサプリメントを作り出して前述の欠点を解決しようとするものである
【課題を解決するためのの手段】
【０００４】  本考案は，携帯型プッシュ式ボトルケースの中に植物，他等が醸し出す香りと美容効果のあるエキスを空気発生テクノロジーで固形したエキスを携帯型プッシュ式ボトルケースに入れて，いつでも，どこでも，手軽に吸引する事でストレスを解消し美肌効もあるので問題点を解決している。
【考案の効果】
【０００５】  上述の様に，本考案の携帯型癒し美容エキス吸引器は吸引器本体から空気発生テクノロジーで固形したエキスの醸し出す香りを直接吸引するのでストレスを解消し，美肌効果もあるので気分爽快になりストレスによる病，花粉症等の予防にも役立つ。
【考案の実施するための最良の形態】
【０００６】  吸引器本体のボトルケースの中に空気発生テクノロジーで固形にしたエキスを入れてプッシュ式ボトルケースなのでプッシュする事で空気が入り吹出させる。
【実施例】
【０００７】  以下，添付図面に従って一実施例を説明する。１はプラスチック等適宣素材にて形成された吸引器本体、ボトルケースの形は手に持を易くして、２はエキスの吹出口、３は吹出しのプッシュボタンで、４が引いて開閉する蓋、５は空気発生テクノロジー固形エキスである。【０００８】  本考案の一実施例は上述の如き構成からなるものである。
【図面の簡単な説明】
【０００９】
【図１】  本考案の癒し、美容吸引器の一実施例を示す正面図である。
【図２】  本吸引器の全部の断面図である。
【符号の説明】
【００１０】  １  吸引器本体
２  吹出口
３  プッシュボタン
４  引き蓋
５  空気発生テクノロジー固形エキス
【図１】
0003160862.tif 000003
【図２】
0003160862.tif 000004
【手続補正書】
【提出日】平成22年2月8日(2010.2.8)
【手続補正１】
【補正対象書類名】実用新案登録請求の範囲
【補正対象項目名】全文
【補正方法】変更
【補正の内容】
【実用新案登録請求の範囲】
【請求項１】
現代社会のストレス解消と女性の美肌効果の為に植物、果物、他等が醸し出す香りのエキスと美肌成分のエキスを化学の熱力学等の化学変化、化学反応で空気発生する化学成分とエキスを固形又は粒子等にして携帯型ボトルケースの中に入れていつでも、どこでも手軽に吸引出来る癒しと美肌に効果のある吸引器
【手続補正書】
【提出日】平成22年4月9日(2010.4.9)
【手続補正１】
【補正対象書類名】実用新案登録請求の範囲
【補正対象項目名】全文
【補正方法】変更
【補正の内容】
【実用新案登録請求の範囲】
【請求項１】
現代社会のストレスの解消と女性の美肌効果の為に植物、果物、野菜、コーヒー、ミルク、はちみつが醸し出す香りのエキスと美肌成分のエキスを化学の熱力学の化学変化、化学反応で空気発生する化学成分のエキスを固形又は粒子にして携帯型ボトルケースの中に有して、いつでも、どこでも手軽に吸引出来る癒しと美肌に効果のあるプッシュ式ボトルケース吸引器。
(57)【要約】      （修正有）【課題】電波源の輝度を上げると同時に、電波源の形状を拡大、確認できるようにする屈折式電波望遠鏡を提供する。【解決手段】電波源対象物からの電波を屈折する炭素系材製対物電波レンズ１と、当該炭素系材製対物電波レンズにより投影された前記電波源対象物の中間像を最終像７に投影する炭素系材製接眼電波レンズ３と、前記炭素系材製対物電波レンズと前記炭素系材製接眼電波レンズとを覆う導電性の筒２とを有する。【選択図】図１
0003160897.tif 000002
【実用新案登録請求の範囲】
【請求項１】
電波源対象物（５）からの電波（６）を屈折する炭素系材製対物電波レンズ（１）と、
当該炭素系材製対物電波レンズ（１）により投影された前記電波源対象物（５）の中間像（４）を最終像（７）に投影する炭素系材製接眼電波レンズ（３）と、
前記炭素系材製対物電波レンズ（１）と前記炭素系材製接眼電波レンズ（３）とを覆う導電性の筒（２）とを有することを特徴とする屈折式電望遠鏡
【考案の詳細な説明】
【技術分野】
【０００１】本考案は電波レンズにより電波源対象物を拡大する屈折式電波望遠鏡に関する。
【背景技術】
【０００２】従来の電波望遠鏡は反射式が主で、微弱電波の輝度を上げることに依っており、電波源の形状を拡大する電波望遠鏡は無かった。
【考案の開示】
【考案が解決しようとする課題】
【０００３】本考案の解決しようとする問題点は、電波源の輝度を上げると同時に、電波源の形状を拡大、確認できるようにすることである。
【課題を解決するための手段】
【０００４】電波源対象物からの電波を屈折する炭素系材製対物電波レンズと、当該炭素系材製対物電波レンズにより投影された前記電波源対象物の中間像を最終像に投影する炭素系材製接眼電波レンズと、前記炭素系材製対物電波レンズと前記炭素系材製接眼電波レンズとを覆う導電性の筒とを有することによる。
【考案の効果】
【０００５】電波源対象物の形状を拡大、確認できる屈折式電波望遠鏡を提供可能となる。
【考案を実施するための最良の形態】
【０００６】対物電波レンズと接眼電波レンズを少なくともひとつずつ有するようにし、望遠鏡内での電波の乱反射を防ぐ導電性の筒で覆う。内部を真空にすれば一層好ましい。
【実施例】
【０００７】本考案の好ましい実施例を述べる。
［図１］において、電波源対象物（５）からの電波（６）が、炭素系材製対物電波レンズ（１）に到達する。この炭素系材製対物電波レンズ（１）内においては、電波（６）の進行速度が大気中より遅くなり、あたかも、光学レンズにより光が屈折し焦点に集まるように、電波（６）は屈折し、焦点ｆ１に集まり、中間像（４）を結像する。中間像（４）からの電波（６）は、焦点距離の短い炭素系材製接眼電波レンズ（３）により、焦点ｆ２に集まり、拡大された最終像（７）を有機ＥＬパネル（８）上に結像する。最終像（７）では、電波（６）の電界が共振し、大電位となり、有機ＥＬパネル（８）上の有機ＥＬ粒を発光させ、最終像（７）は光学的画像（９）に変換され、目視により電波源対象物（５）の形状を確認できる。尚、屈折式電波望遠鏡の筒は、導電性の筒（２）で覆われており、望遠鏡内での電波（６）の乱反射を防止している。また、電波望遠鏡内は真空であることが好ましい。
【図面の簡単な説明】
【０００８】
【図１】は本考案の屈折式電波望遠鏡の横断面図である。
【符号の簡単な説明】
【０００９】（１）は炭素系材製対物電波レンズである。
（２）は導電性の筒である。
（３）は炭素系材製接眼電波レンズである。
（４）は中間像である。
（５）は電波源対象物である。
（６）は電波である。
（７）は最終像である。
（８）は有機ＥＬパネルである。
（９）は光学的画像である。
【図１】
0003160897.tif 000003
【手続補正書】
【提出日】平成22年4月16日(2010.4.16)
【手続補正１】
【補正対象書類名】実用新案登録請求の範囲
【補正対象項目名】請求項１
【補正方法】変更
【補正の内容】
【請求項１】
電波源対象物（５）からの電波（６）を屈折する炭素系材製対物電波レンズ（１）と、
当該炭素系材製対物電波レンズ（１）により投影された前記電波源対象物（５）の中間像（４）を最終像（７）に投影する炭素系材製接眼電波レンズ（３）と、
前記炭素系材製対物電波レンズ（１）と前記炭素系材製接眼電波レンズ（３）とを覆う導電性の筒（２）とを有することを特徴とする屈折式電波望遠鏡
(57)【要約】      （修正有）【課題】車の左右後方の死角を解消するミラーを提供する。【解決手段】車の平面サイドミラーを、への字型に折り曲げてミラー１を構成してサイドミラー本体カバー２に納め、車体とサイドミラーの接続体３により、車体に取りつける。これにより、平面型のミラーでは死角となっていた車の斜め左右の後方部分を見える様にして、安全性を向上させたサイドミラーを構成する。【選択図】図１
0003160900.tif 000002
【実用新案登録請求の範囲】
【請求項１】
従来の車の平面サイドミラーをへの字に折り曲げることにより、車の左右後方の死角をなくすミラー。
【考案の詳細な説明】
【技術分野】
【０００１】本考案は、自動車用サイドミラーに関する。
【背景技術】
【０００２】従来の自動車用サイドミラーは、車の左右斜め後方に死角ができる。
【考案の開示】
【考案が解決しようとする課題】
【０００３】しかしながら、従来の自動車用サイドミラーは平面ミラーであるため、死角をなくせない。
【課題を解決するための手段】
【０００４】への字型にミラーを折り曲げる。
【考案の効果】
【０００５】本考案により、車斜め左右後方の死角はなくなる。
【考案を実施するための最良の形態】
【実施例】
【０００６】図１に示すように、ミラーを折り曲げる。
【図面の簡単な説明】
【０００７】
【図１】ミラー単体をへの字型に折り曲げた上面図、
【図２】サイドミラー全体の上面図、
【図３】ミラー単体をへの字型に折り曲げた正面図、
【図４】ミラー本体の正面図、
【符号の説明】
【０００８】１        ミラー単体
２        カバーの全体図
【図１】
0003160900.tif 000003
【図２】
0003160900.tif 000004
【図３】
0003160900.tif 000005
【図４】
0003160900.tif 000006
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
車の平面サイドミラーをへの字に折り曲げることにより、車の左右後方の死角をなくすミラー。
【手続補正２】
【補正対象書類名】明細書
【補正対象項目名】０００１
【補正方法】変更
【補正の内容】
【０００１】  車の平面サイドミラーに関する。
【手続補正３】
【補正対象書類名】明細書
【補正対象項目名】０００２
【補正方法】変更
【補正の内容】
【０００２】  車の平面サイドミラーは、車の左右後方に死角ができる。
【手続補正４】
【補正対象書類名】明細書
【補正対象項目名】０００３
【補正方法】変更
【補正の内容】
【０００３】  しかしながら、車のサイドミラーは平面ミラーであるため、死角をなくせない。
【手続補正５】
【補正対象書類名】明細書
【補正対象項目名】０００６
【補正方法】変更
【補正の内容】
【０００６】  図１に示すように、車の平面サイドミラーを、への字に折り曲げる。
【手続補正６】
【補正対象書類名】明細書
【補正対象項目名】０００７
【補正方法】変更
【補正の内容】
【０００７】
【図１】への字型ミラーの立体図
【図２】への字型ミラーの断面図
【手続補正７】
【補正対象書類名】明細書
【補正対象項目名】０００８
【補正方法】変更
【補正の内容】
【０００８】１            ミラー
２            サイドミラー本体カバー
３            車体とサイドミラーの接続体
４            ミラー固定金具
【手続補正８】
【補正対象書類名】図面
【補正対象項目名】全図
【補正方法】変更
【補正の内容】
【図１】
0003160900.tif 000007
【図２】
0003160900.tif 000008
(57)【要約】      （修正有）【課題】引っ手繰りを防止するバッグを提供する。【解決手段】通勤者又は買い物者達から道路など、通行中に窃盗者達から守るため内側に袋縫いを作り、又外面に腕を差し込み、防止用の握り１を握りしめて、安全な歩行を可能にした。又、ファスナー付閉開口２から腕を差し入れても、分からない様にして守る事ができる。【選択図】図２
0003160892.tif 000002
【実用新案登録請求の範囲】
【請求項１】
バックの内側に握りを付け外側に完全に縫いつけた握り材質に付いては限定するものではない。
【請求項２】
バックの外側に開口を作り閉開式フアスナを設けたのは使用時と不使用を考慮したもの。
【考案の詳細な説明】
【技技分野】
【０００１】現在市販されているバツク類に対し改修も可能に考案したものである。
【背景技術】
【０００２】本考案は窃盗防止に改良し、自販も可能にした物である。
【背景技術】
【０００３】現在市販されている、バツクには防止策は−切作られていない。
【考案が解決しようとする課題】
【０００４】考案者は、通勤者又は買い物者達から道路など通行中に窃盗者達から守るため内側に袋縫いを作り又外面に腕を差し込み防止ようの握りを握りしめて、安全に歩行を可能にした。
【考案の効果】
【０００５】肩掛けが主力としているが、手提げの時は小物入れとして使用が可能となつている、又内側のファスナの閉開で修理も可能。
【図面の簡単な説明】
【図１】  本案の構成を示す分解図
【図２】  肩掛け様バック共通外面図
【符号の説明】
0003160892.tif 000003
２、      ポケツト付開口部左右は腕の挿入口、
３、      閉開式ファスナ−、
４、      袋縫い上部閉開ファスナ−加工、修理に利用、
５、      袋縫いは腕を差し込む為、又小物入れに利用出来る。
Ａ，外面            Ｂ内面
【図１】
0003160892.tif 000004
【図２】
0003160892.tif 000005
【手続補正書】
【提出日】平成22年4月15日(2010.4.15)
【手続補正１】
【補正対象書類名】実用新案登録請求の範囲
【補正対象項目名】全文
【補正方法】変更
【補正の内容】
【実用新案登録請求の範囲】
【請求項１】
バッグの内側に握りを付け、外側に開口部を作り、この開口部に閉開式フアスナーを設けたことを特徴とするバッグ。
【手続補正２】
【補正対象書類名】明細書
【補正対象項目名】全文
【補正方法】変更
【補正の内容】
【考案の詳細な説明】
【技術分野】
【０００１】現在市販されているバツグ類に対し改修も可能に考案したものである。
【背景技術】
【０００２】本考案は窃盗防止に改良し、自販も可能にした物である。
【背景技術】
【０００３】現在市販されている、バツグには防止策は一切作られていない。
【考案が解決しようとする課題】
【０００４】考案者は、通勤者又は買い物者達から道路など通行中に窃盗者達から守るため内側に袋縫いを作り又外面に腕を差し込み防止ようの握りを握りしめて、安全に歩行を可能にした。
【考案の効果】
【０００５】肩掛けが主力としているが、手提げの時は小物入れとして使用が可能になつている、又内側のフアスナーの閉開で修理も可能。
【図面の簡単な説明】
【図１】本案の構成を示す分解図
【図２】肩掛け様バッグ共通外面図
【符号の説明】［１］引つ手繰り防止握りを外面に縫いつける。
［２］ポケツト付開口部左右は腕の挿入口。
［３］閉開式フアスナー。
［４］袋縫い上部閉開フアスナー加工、修理に利用。
［５］袋縫いは腕を差し込む為、又小物入れに利用できる。
Ａ、外面  Ｂ、内面
(57)【要約】      （修正有）【課題】輸入自動車用ルーフアンテナベースシールの装着においてアンテナ及びアンテナベースを取りはずすことなく簡単に装着できるルーフアンテナベースシールを提供する。【解決手段】ルーフアンテナベースシールＡを楕円のリング形状に形成し、底部のリング内側に８ｍｍ未満のアンテナベースＢと自動車ルーフ部Ｄの間にはさみ込む為のつば部を設けて構成する。又、該ルーフアンテナベースシールの材質は、エチレンプロピレンジエンゴムやシリコンゴムなどゴム材を使用して形成することで、アンテナＣ及びアンテナベースＢを取り外すことなく、また特別な工具を使用せずとも、その伸縮性を利用して装着できるようになる。【選択図】図２
0003160893.tif 000002
【実用新案登録請求の範囲】
【請求項１】
装着がはめ込むだけで簡単にでき、ルーフアンテナ及びアンテナベースの取り外しが不要である。特別な工具も必要としない輸入自動車用ルーフアンテナベースシール。
【請求項２】
材質にエチレンプロピレンジエンゴムやシリコンゴムなどゴム材を主な成分とした輸入自動車用ルーフアンテナベースシール。
【考案の詳細な説明】
【技術分野】
【０００１】
本考案は、輸入自動車用ルーフアンテナ取り付け部ベースシールに関するものである。
【背景技術】
【０００２】
輸入自動車用ルーフアンテナは、そのデザイン性と性能の向上から、多くの車種に採用されるようになった。構造はアンテナ部とアンテナベース部に分割され、アンテナ部はアンテナベース部とねじ構造により取り外し可能となっている。アンテナベース部は車両天井部鋼板を貫通させ室内側よりナットにより固定されている。そのためアンテナベースと車両天井鋼板の間に防水オーリングと防塵防水のためのルーフアンテナベースシールを使用している。
【考案の概要】
【考案が解決しようとする課題】
【０００３】
輸入自動車の使用年数と共に、このルーフアンテナベースシールの劣化によるルーフアンテナベースシールの割れ脱落の事例が数多く発生している。修理作業で使用する車両製造メーカーから提供される従来のルーフアンテナベースシールは装着作業においてアンテナ及びアンテナベースを取り外す必要があり、困難な作業を必要とする。このため高額な作業費用が必要である。
【０００４】
本考案は以上の事情に鑑みてなされたものであり、できるだけ費用をかけず、工具を必要とせず、アンテナ及びアンテナベースを取り外すことなく、簡単に装着ができるルーフアンテナベースシールを提供する事を目的とする。
【課題を解決するための手段】
【０００５】
本考案である輸入自動車用ルーフアンテナベースシールは、アンテナベース部と輸入自動車ルーフ部に挟み込まれるつばの部分の形状を小さくはめ込みやすい形状にし、素材の材質を伸縮性のあるゴム材にしたルーフアンテナベースシールである。
【考案の効果】
【０００６】
装着がはめ込むだけで簡単にでき、ルーフアンテナ及びアンテナベースの取り外しが不要である。特別な工具も必要としない。
【図面の簡単な説明】
【０００７】
【図１】本考案の輸入自動車用ルーフアンテナベースシールを示す斜視図である。
【図２】本考案の輸入自動車用ルーフアンテナベースシールの装着例を示す概略斜視図である。
【図３】本考案の輸入自動車用ルーフアンテナベースシールを含んだルーフアンテナ部の部品構成図である。
【図４】本考案の輸入自動車用ルーフアンテナベースシールの装着方法を示す側面図である。
【図５】本考案の輸入自動車用ルーフアンテナベースシールの装着状態を一部切欠して示す側面図である。
【図６】図１の輸入自動車用ルーフアンテナベースシールの正面図である。
【図７】図１の輸入自動車用ルーフアンテナベースシールの平面図である。
【図８】図１の輸入自動車用ルーフアンテナベースシールの背面図である。
【図９】図１の輸入自動車用ルーフアンテナベースシールの底面図である。
【図１０】図１の輸入自動車用ルーフアンテナベースシールの右側面図である。
【考案を実施するための形態】
【０００８】
図２は本考案の実施の一形態による輸入自動車用ルーフアンテナベースシールＡをアンテナベースBと輸入自動車ルーフ部Dとの間に装着した状態の概略斜視図である。
【０００９】
本考案の輸入自動車用ルーフアンテナベースシールＡは伸縮性のあるゴム素材でできており図１の輸入自動車用ルーフアンテナベースシールつば部１をアンテナベースBと輸入自動車ルーフ部Dとの間に素材の伸縮性を利用し、はめ込み装着する。
【符号の説明】
【００１０】
１  輸入自動車用ルーフアンテナベースシールつば部
Ａ  輸入自動車用ルーフアンテナベースシール
Ｂ  アンテナベース
Ｃ  アンテナ
Ｄ  輸入自動車ルーフ部
Ｅ  防水オーリング
Ｆ  アンテナねじ部
Ｇ  アンテナベースねじ部
Ｈ  アンテナベース固定用ナット
Ｉ  アンテナベース配線
【図１】
0003160893.tif 000003
【図２】
0003160893.tif 000004
【図３】
0003160893.tif 000005
【図４】
0003160893.tif 000006
【図５】
0003160893.tif 000007
【図６】
0003160893.tif 000008
【図７】
0003160893.tif 000009
【図８】
0003160893.tif 000010
【図９】
0003160893.tif 000011
【図１０】
0003160893.tif 000012
【手続補正書】
【提出日】平成22年4月18日(2010.4.18)
【手続補正１】
【補正対象書類名】実用新案登録請求の範囲
【補正対象項目名】全文
【補正方法】変更
【補正の内容】
【実用新案登録請求の範囲】
【請求項１】
楕円のリング形状をしたルーフアンテナベースシール（Ａ）であり、底部のリング内側に８ｍｍ未満のアンテナベース（Ｂ）と自動車ルーフ部（Ｄ）の間にはさみ込む為のつば部（１）を有するルーフアンテナベースシール。
【請求項２】
材質は、エチレンプロピレンジエンゴムやシリコンゴムなどゴム材を使用した請求項１に記載したルーフアンテナベースシール。
(57)【要約】      （修正有）【課題】就寝時の口呼吸を抑止するため一年を通して使用可能であり、且つ安全、安心な解決策としてＩ字型絆創膏を提供する。【解決手段】裏面に粘着性を有し、表面には通気性、伸縮性のある布製絆創膏を使用し、これにＩ字型の切り込みを設ける。この絆創膏の裏面には、衛生と粘着性を保つためにフイルム状のもので保護する。使用時にはこのフイルムを剥離して唇へ装着するものである。Ｉ字型の切り込みを入れた絆創膏の上下部分において、唇の上下１，３を押さえ中央のＩ字部２分を唇に装着することにより、唇の解放を防止、または抑止する。中央部に細くＩ字型の切り込みを入れることにより、唇への接面積が少なく、装着時の不安感、不快感を解消する。また、唇は固定されてはいるが、唇の両脇を含めその大部分が解放されていることにより、口呼吸を完全に停止させるものではなく、危険性も回避される。【選択図】図２
0003160894.tif 000002
【実用新案登録請求の範囲】
【請求項１】
本考案は、絆創膏の形状に関するもので、就寝時における口呼吸を防止、または抑止するために、Ｉ字型の切り込みを設けた絆創膏である。表面は通気性、伸縮性のある布製絆創膏を使用し、裏面は衛生面の確保、及び粘着性を維持するために、フイルム状のもので保護する。従って、使用時にはこのフイルムを剥離して唇、及びその周辺に装着するものである。
【考案の詳細な説明】
【技術分野】
【０００１】  本考案は、口呼吸を防止、または抑止するために設けた絆創膏に関するものである。
【背景技術】
【０００２】  就寝時において口呼吸をした場合、いびき、口臭、喉の痛み、風邪等、ウイルス感染を引き起こしていた。
【考案の概要】
【考案が解決しょうとする課題】
【０００３】いびき、口臭、喉の痛み、風邪等、ウイルス感染は、著しく不快感や苦痛を伴い経済的、且つ肉体的負担も大きい。従って、就寝時の口呼吸を防止することにより、これらの症状を著しく軽減、緩和することが可能になり、前述の問題を解決しようとするものである。
【課題を解決するための手段】
【０００４】  本考案は、裏面に粘着性を有し、表面には通気性、伸縮性のある布製絆創膏を使用し、これにＩ字型の切り込みを設けたもので、この絆創膏の裏面には、衛生と粘着性を保つためにフイルム状のもので保護する。従って、使用時にはこのフイルムを剥離して唇へ装着するものである。
Ｉ字型の切り込みを入れた絆創膏の上下部分において、唇の上下を押さえ中央のＩ字部分を唇に装着することにより、唇の解放を防止、または抑止する。中央部に細くＩ字型の切り込みを入れることにより、唇への接面積が少なく、装着時の不安感、不快感を解消する。また、唇は固定されてはいるが、唇の両脇を含めその大部分が解放されていることにより、口呼吸を完全に停止させるものではなく、危険性も回避されると考える。本考案が口呼吸に起因されるいろいろな疾病に対し、有効、且つ大いに役立つものと考える。
【考案の効果】
【０００５】  従来からの単純な帯状の絆創膏で唇、及びその周囲を覆うことは、危険、且つ不安感を抱かざるをえない。また、種々のガーゼ、紙等のマスク状のものでは夏期の就寝時等には不快感を伴い、一年を通しての装着は不可と考えられる。従って、本考案は以上の問題点を解消するとともに、格段の利用上の効果が期待できるものである。
【図面の簡単な説明】
【０００６】
【図１】本考案の実施例を示す平面図
【図２】本考案の実施例の使用状態を示す正面図
【考案を実施するための形態】
【０００７】  裏面に粘着性を有し、表面には通気性、伸縮性のある布製絆創膏を使用し、これにＩ字型の切り込みを設けたもので、この絆創膏の裏面には、衛生面と粘着性を保つためにフイルム状のもので保護する。従って、使用時にはこのフイルムを剥離して用いる。
【実施例】
【０００８】  以下、添付図面に従って一実施例を説明する。
１は、絆創膏の上辺部分でこれを上唇の上縁部に接着し、２は、絆創膏の縦辺部分でこれを唇の中央部を通過させ接着し、３は、絆創膏の下辺部分でこれを下唇の下縁部に接着する。
【産業上の利用可能性】
【０００９】  本考案は、主として就寝時における口呼吸を防止、または抑止するためにされる絆創膏に関するものであり、いびき、口腔衛生、細菌の体内進入防止等に著しく役立つものと考える。
【符号の説明】
【００１０】１．上辺部絆創膏
２．縦辺部絆創膏
３．下辺部絆創膏
４．フイルム部分
【図１】
0003160894.tif 000003
【図２】
0003160894.tif 000004
【手続補正書】
【提出日】平成22年4月15日(2010.4.15)
【手続補正１】
【補正対象書類名】実用新案登録請求の範囲
【補正対象項目名】全文
【補正方法】変更
【補正の内容】
【実用新案登録請求の範囲】
【請求項１】
Ｉ字型に形成した布製絆創膏であって、裏面に保管フイルムを有することを特徴とするＩ字型テープ（口呼吸防止用絆創膏）